(57)【特許請求の範囲】
【請求項１】
建物の壁面に装着されて使用される筒型の換気装置に於いて、両端部の対応する位置に通気入口と通気出口とが形成されると共に、これ等の通気入口と通気出口とを連通する空気通路が内部に設けられた筒体の該空気通路内に、風雨の力によって該空気通路を開閉し得る開閉フラップを回動自在に取付け、かつヒューズ部材によりコイルスプリングまたは板バネの付勢力に抗して該コイルスプリングまたは板バネが前記筒体に仮着され、火災時の高熱によって前記ヒューズ部材が溶断して前記コイルスプリングまたは板バネの付勢力により前記開閉フラップを回動させて前記空気通路を強制的に閉鎖し得る閉鎖装置を該開閉フラップの近傍に取付けて構成したことを特徴とした水密防火兼用換気装置。
【発明の詳細な説明】
【０００１】
【発明の属する技術分野】
本発明は建物の壁面の換気装置に係り、特に換気装置内に設けられた空気通路に台風時の雨水が侵入したり、或いは火災時の熱風や火炎が侵入することを共に防止し得る水密防火兼用の換気装置に関するものである。
【０００２】
【従来の技術】
台風等の強風時に雨水が室内側に侵入することを防止し得る換気装置としては、例えば特公平３ー２９５１６号公報（第１公知技術）、或いは特開昭６３ー２５１５４８号公報（第２公知技術）、特開平５ー２９５９５９号公報（第３公知技術）、特公昭４９ー３５７８１号公報（第４公知技術）及び実開昭６３ー１６７５８９号公報（第５公知技術）等に示す技術が知られている。
【０００３】
前述の第１公知技術乃至第５公知技術の換気装置の構造は全体的に極めて構造が複雑であると共に、台風時等に雨水が侵入し易いので、軒、庇等が設けられた場所のみしか使用することが困難であり、これ等の軒、庇等が無い場所では装着して使用することが困難である問題があった。
【０００４】
本発明者は、前述の従来の問題点を改善するために、上下両端部が閉鎖されかつ外壁下部に通気口が設けられ更に内壁上部に通気口が設けられた縦筒体の内部のほぼ中央部に、該縦筒体内を上下に閉鎖分離し得る開閉フラップを回動自在に取付けて構成した縦筒型換気装置を開発し、既に特許出願をしている（特願平８ー２０００７８号）。
【０００５】
前述の本発明者が開発した縦筒型換気装置は、軒、庇等が無い壁面に装着して使用した場合にも、風力が強まると筒体内の開閉フラップが回動して空気通路を自動的に閉鎖し、台風時等に雨水が内部の空気通路を通って室内側に侵入することを防止出来る特徴を有している。
【０００６】
【発明が解決しようとする課題】
しかし、この縦筒型換気装置を始めとして、従来の前述の公知技術に例示する換気装置に於いては、単に雨水が空気通路を通って室内側に侵入することを防止することを目的とした換気装置であるので、火災時に熱風や火炎が換気装置の空気通路を通って室内側に侵入することを防止することは出来なかった。そのために、前記特許出願の技術に於いても説明したように、換気装置の裏側に防火ダンパーを別に併設し、火災時の場合には、防火ダンパーを使用することによって火炎が室内に侵入したり、或いは屋内側から屋外に噴出することを防止していた。
【０００７】
従って、従来技術では、台風時等の風雨の侵入を防ぐための換気装置と、火災時の熱風及び火炎の侵入を防ぐための防火ダンパーとを夫々別々に作成し、これ等を併設して使用しなければならなかった。そのために多くの材料を必要とし、加工及び組立が複雑であり、コスト高になる問題があった。また、建物の壁に換気装置と防火ダンパーとを併設するスペースを確保しなければならず、建築の設計にも制限がある等の問題があった。
【０００８】
本発明に係る水密防火兼用換気装置は、前述の従来の問題点に鑑み開発された全く新しい技術であって、特に両端部の対応する位置に設けた通気入口と通気出口とを連通する空気通路内にこれを開閉し得る開閉フラップを可動自在に取付け、かつ火災時の高熱によって前記開閉フラップを回動させて空気通路を強制的に閉鎖し得る閉鎖装置を該開閉フラップ近くに取付けることによって、風雨の侵入と熱風及び火炎の侵入とを防止し得るようにした換気装置の技術を提供するものである。
【０００９】
【課題を解決するための手段】
本発明に係る水密防火兼用換気装置は、前述の従来の問題点を根本的に改善した技術であって、その発明の要旨は、建物の壁面に装着されて使用される筒型の換気装置に於いて、両端部の対応する位置に通気入口と通気出口とが形成されると共に、これ等の通気入口と通気出口とを連通する空気通路が内部に設けられた筒体の該空気通路内に、風雨の力によって該空気通路を開閉し得る開閉フラップを回動自在に取付け、かつヒューズ部材によりコイルスプリングまたは板バネの付勢力に抗して該コイルスプリングまたは板バネが前記筒体に仮着され、火災時の高熱によって前記ヒューズ部材が溶断して前記コイルスプリングまたは板バネの付勢力により前記開閉フラップを回動させて前記空気通路を強制的に閉鎖し得る閉鎖装置を該開閉フラップの近傍に取付けて構成したことを特徴とした水密防火兼用換気装置である。
【００１０】
前記発明に於いては、筒体の通気入口と通気出口とを相互に連通する空気通路内に開閉フラップを回動自在に取付けたので、空気通路内に風雨が侵入し始めると、風雨の力によって開閉フラップを回動して空気通路を閉鎖してその後の風雨の侵入を防止することが出来る。また、火災時に熱風或いは火炎が空気通路内に侵入し始めると、その熱によって閉鎖装置を作動せしめて開閉フラップを回動させて前記空気通路を閉鎖させることが出来る。
【００１２】
また、開閉フラップを強制的に閉鎖し得る閉鎖装置をコイルスプリング、板バネ等の弾性体とこの弾性体を筒体に仮着し得るヒューズ部材とで構成したので、熱でヒューズ部材が溶断されることによって移動部材が弾性体の作用で固定枠から離脱移動して、開閉フラップを回動させて空気通路を強制的に閉鎖することが出来る。
【００１３】
【発明の実施の形態】
図により本発明に係る水密防火兼用換気装置の一実施例を具体的に説明すると、図１は本発明に係る第１実施例の水密防火兼用換気装置の縦断面説明図、図２は図１の換気装置の構成を示す一部切欠斜視説明図、図３は図１の要部の横断面説明図である。
【００１４】
図４（Ａ），（Ｂ），（Ｃ）は夫々図１の換気装置の開閉フラップが風雨或いは熱によって作動される状態を示す縦断面図、図５は第２実施例の換気装置を示す縦断面図、図６（Ａ），（Ｂ），（Ｃ）は第３実施例の換気装置を示す縦断面図である。
【００１５】
図１乃至図４に於いて、第１実施例の換気装置について説明すると、１は筒体であって、外壁２、左右側壁３，４、内壁５、上板６及び下板７によって４角筒状に形成されている。この筒体１の外壁２の下部には通気入口８が設けられると共に、この位置と対応する筒体１の内壁５の上部には通気出口９が設けられ、かつ筒体１の内部にはこれ等の通気入口８と通気出口９とを相互に連通する空気通路１０が設けられている。
【００１６】
１１は翼板状の開閉フラップであって、そのほぼ中央部が軸１２に回動自在に枢着されている。この開閉フラップ１１は特に図４（Ｂ），（Ｃ）に示す如く、必要に応じて筒体１の空気通路１０を閉鎖したり、或いは同図（Ａ）に示す如く、空気通路１０を開放し得る如く構成されている。
【００１７】
１３は前記開閉フラップ１１の所定部分の近傍に取付けられた閉鎖装置であって、これが作動することによって、特に図４（Ｃ）に示す如く、開閉フラップ１１を回動させて筒体１の空気通路１０を強制的に閉鎖し得る如く構成されている。
【００１８】
前記閉鎖装置１３は、特に図１及び図２によって明らかな如く、軸１４に巻き付けられたコイルスプリング１５と、このコイルスプリング１５の一端部１５ａに連結されたＬ型状移動部材１６と、筒体１の内壁５にビス１７で固定されたコ型状固定枠１８と、相互にハンダ付けされた２枚のヒューズ１９ａ，１９ｂより形成されるヒューズ部材１９とで構成されている。
【００１９】
また、前記ヒューズ部材１９の一方のヒューズ１９ａはビス２０によって移動部材１６に固定されており、かつ、他方のヒューズ１９ｂはビス２１によって前記固定枠１８に固定されている。更に、コイルスプリング１５の他端部１５ｂは固定枠１８の内面に固定されている。
【００２０】
前述の構造を有する閉鎖装置１３は、前述のような構造を有するので、火災等が発生して空気通路１０の中に熱風或いは火炎が侵入して温度が上昇した場合には、ヒューズ部材１９のヒューズ１９ａ，１９ｂを相互に溶接したハンダが溶解するので、ヒューズ１９ａ，１９ｂが相互に剥離し、ヒューズ部材１９が切断される。
【００２１】
この際に、今迄ヒューズ部材１９で規制されていた移動部材１６がコイルスプリング１５の作用で移動して、図４（Ｃ）に示す如く、開閉フラップ１１の一端部を強制的に移動させて、開閉フラップ１１を回動させながら筒体１の空気通路１０を閉鎖する。
【００２２】
図中２２は建物躯体側の壁軸組であり、この壁軸組２２の室外側には外壁パネル２３が取付けられている。従って前記換気装置の筒体１はこれ等の壁軸組２２及び外壁パネル２３等よりなる建物の壁面の一部にはめ込まれており、前記筒体１の通気入口８と、通気出口９と、これ等を連通する空気通路１０を介して屋内の換気を行うことが出来るように構成されている。
【００２３】
本発明に係る水密防火兼用換気装置の作動状況について説明すると、図４（Ａ），（Ｂ），（Ｃ）に示す通りである。即ち、通常時に於いては、同図（Ａ）に示す如く、開閉フラップ１１がほぼ垂直に起立され、空気通路１０が開かれ、筒体１の下方の通気入口８より取り入れられる空気は空気通路１０を通過して通気出口９より建物の室内に流入される。また、この状態に於いて、室内側の空気も室外側に排出される（図示せず）。
【００２４】
次に、台風時等に強い風雨が通気入口８より空気通路１０内に侵入し始めると、風雨の圧力によって開閉フラップ１１が回動して図４（Ｂ）に示す如く、空気通路１０を閉鎖し、これによって風雨が空気通路１０及び通気出口９を通って室内側に流入することを防止することが出来る。
【００２５】
更に、火災が発生して熱風或いは火炎が通気入口８より空気通路１０内に侵入し始めると図４（Ｃ）に示す如く、空気通路１０内の温度が上昇するので、この温度が所定の設定温度（例えば１２０℃）に達した場合には、閉鎖装置１３のヒューズ部材１９のハンダが前述のように溶解して、ハンダで仮着された２枚のヒューズ１９ａ，１９ｂが離れるので、スプリング１５の作用で移動部材１６を移動させ、同時に移動部材１６で開閉フラップ１１を回動させて空気通路１０をこの開閉フラップ１１で閉鎖することが出来る。
【００２６】
従って、熱風及び火炎が空気通路１０及び通気出口９を通って室内に侵入することを防止出来る。また、室内で火災が発生した場合には、通気出口９より空気通路１０に熱風及び火炎が侵入し始めるので、この場合にも閉鎖装置１３が作動して開閉フラップ１１で空気通路１０を閉鎖し、室内側から熱風及び火炎が屋外に噴出することを防止出来る（図示せず）。
【００２７】
前記第１実施例に於いては、図１乃至図４に示す如く、筒体１の外壁２の下部に通気入口８を設けて構成したが、図５に示す第２実施例のように、筒体１を建物の壁体内に深く埋設し、筒体１の外壁２を建物の外壁パネル２３で被覆するように構成した場合には、通気入口８の周りにダクト２４を突設し、このダクト２４を家外に露出するように構成することも可能である。
【００２８】
前記第１実施例及び第２実施例に於いては、閉鎖装置１３にコイルスプリング１５を用いて構成したが、図６（Ａ），（Ｂ），（Ｃ）に示す第３実施例のように、閉鎖装置２５を板バネ２６と、ヒューズ部材１９とで簡単な構造に構成することが出来る。
【００２９】
即ち、第３実施例の場合には、先端にＬ型折曲部２６ａを有する板バネ２６の一端部が開閉フラップ１１が枢着された軸１２に取付けられており、このＬ型折曲部２６ａと固定枠１８との間にはヒューズ部材１９が掛渡されており、ヒューズ部材１９の一方のヒューズ１９ａがビス２１によって前記Ｌ型折曲部２６ａに固定され、他方のヒューズ１９ｂがビス２０によって固定枠１８に固定されている。前記開閉フラップ１１はその両端部に於いて軸受部材２７を介して軸１２に枢着されている。
【００３０】
第３実施例の場合も、第１実施例と同様に空気通路１０の温度が所定の温度に達すると、ヒューズ部材１９のハンダが溶解し、これによってヒューズ１９ａ，１９ｂが相互に離脱し、板バネ２６の作用で板バネ２６の先端部のＬ型折曲部２６ａが開閉フラップ１１に当接されてこれを強制的に回転させ、該開閉フラップ１１で空気通路１０を閉鎖し、これによって火災の熱風或いは火炎が空気通路１０を通過することを防止出来る。
【００３１】
【発明の効果】
本発明に於いては、前述のように筒体の空気通路に開閉フラップを回動自在に枢着すると共に、この開閉フラップによって空気通路を開閉することが出来るように構成し、更にこの開閉フラップの近傍に、火災時にこの開閉フラップを強制的に回動することが出来るように閉鎖装置を設けて構成したので、火災時に空気通路の温度が上昇すると、開閉フラップを強制的に回動して空気通路を閉鎖し、これによって熱風或いは火炎が空気通路を通過することを防止出来る。
【００３２】
前述の閉鎖装置を、コイルスプリング、板バネ等の弾性体とこの弾性体を筒体に仮着し得るヒューズ部材とで構成した場合には、温度が所定の温度に達するとヒューズ部材が分離され、弾性体の作用で近傍にある閉鎖フラップを強制的に回動することが出来る。
【００３３】
本発明に係る水密防火兼用換気装置は、前述のような台風時の風雨が筒体の空気通路に侵入して通過することを防止すると共に、火災時の熱風或いは火炎が空気通路に侵入して通過することを防止出来るので、換気機能と防火機能との両方を有することが出来る。従って本装置を使用することによって、従来のように換気装置とは別に防火ダンパーを併設する必要がなく、極めて経済的であると共に、建物の壁面の換気防火スペースを最小にすることが出来る等の多大な効果を有している。
【図面の簡単な説明】
【図１】  本発明に係る第１実施例の水密防火兼用換気装置の縦断面説明図である。
【図２】  図１の換気装置の構成を示す一部切欠斜視説明図である。
【図３】  図１の要部の横断面説明図である。
【図４】  図４（Ａ），（Ｂ），（Ｃ）は夫々図１の換気装置の開閉フラップが風雨或いは熱によって作動される状態を示す縦断面図である。
【図５】  第２実施例の換気装置を示す縦断面図である。
【図６】  図６（Ａ），（Ｂ），（Ｃ）は夫々第３実施例の換気装置を示す縦断面図である。
【符号の説明】
１…筒体
２…外壁
3，4…側壁
５…内壁
６…上板
７…下板
８…通気入口
９…通気出口
10…空気通路
11…開閉フラップ
12…軸
13…閉鎖装置
14…軸
15…コイルスプリング
16…移動部材
17，20，21…ビス
18…固定枠
19…ヒューズ部材
19ａ，19ｂ…ヒューズ
22…壁軸組
23…外壁パネル
24…ダクト
25…閉鎖装置
26…板バネ
27…軸受部材
【図１】
0003831077.tif 000002
【図２】
0003831077.tif 000003
【図３】
0003831077.tif 000004
【図４】
0003831077.tif 000005
【図５】
0003831077.tif 000006
【図６】
0003831077.tif 000007